(57)【要約】【課題】産褥パッドをショーツの外側から支持しつつ身体側に押圧固定し、上下動の激しい運動や、就寝時においても、より確実に血液や悪露の漏れを防止することができる産褥パッド支持機能付きボトム衣類を提供する。【解決手段】前身頃部及び後身頃部を有する産褥パッド支持用のボトム衣類であって、前記前身頃部の上縁部からクロッチ部にかけて２本の長尺状伸縮部材が所定の間隔をあけて並行して縫着され、かつ、前記後身頃部の上縁部から前記クロッチ部にかけて３本の長尺状伸縮部材が所定の間隔をあけて並行して縫着されていること、を特徴とする。【選択図】図１
2018079016.tif 000002
【特許請求の範囲】
【請求項１】
前身頃部及び後身頃部を有する産褥パッド支持用のボトム衣類であって、
前記前身頃部の上縁部からクロッチ部にかけて少なくとも２本の長尺状伸縮部材が所定の間隔をあけて並行して縫着され、かつ、
前記後身頃部の上縁部から前記クロッチ部にかけて少なくとも３本の長尺状伸縮部材が所定の間隔をあけて並行して縫着されていること、
を特徴とする産褥パッド支持機能付きボトム衣類。
【請求項２】
前記後身頃部が、左側後身頃部と、右側後見頃部と、中央後見頃部と、から構成され、当該左側前身頃部と前記右側前身頃部との間に中央前身頃部を配置して縫着されていること、
を特徴とする請求項１に記載の産褥パッド支持機能付きボトム衣類。
【請求項３】
前記前身頃部が、左側前身頃部と、右側前身頃部と、中央前身頃部と、から構成され、前記左側後身頃部と前記右側後身頃部との間に中央後身頃部を配置して縫着されていること、
を特徴とする請求項１又は２に記載の産褥パッド支持機能付きボトム衣類。
【請求項４】
前記長尺状伸縮部材が、前記左側前身頃部及び前記中央前身頃部の縫着部と、前記右側前身頃部及び前記中央前身頃部の縫着部と、前記左側後身頃部及び前記中央後身頃部の縫着部と、前記右側後身頃部及び前記中央後身頃部の縫着部と、前記中央後身頃部の略中央部と、に縫着されていること、
を特徴とする請求項１〜３のいずれかに記載の産褥パッド支持機能付きボトム衣類。
【請求項５】
前記左側後身頃部と前記中央後身頃部との縫着部と、前記右側後身頃部と前記中央後身頃部との縫着部と、の距離が、前記クロッチ部から前記上縁部にかけて拡幅し、かつ、前記左側前身頃部と前記中央前身頃部との縫着部と、前記右側前身頃部と前記中央前身頃部との縫着部と、の距離が、前記クロッチ部から前記上縁部にかけて拡幅する構造を有すること、
を特徴とする請求項１〜４のいずれかに記載の産褥パッド支持機能付きボトム衣類。
【請求項６】
前身頃部及び後身頃部を有する裏地であって、
前記前身頃部の上縁部からクロッチ部にかけて少なくとも２本の長尺状伸縮部材が所定の間隔をあけて並行して縫着され、かつ、
前記後身頃部の上縁部から前記クロッチ部にかけて少なくとも３本の長尺状伸縮部材が所定の間隔をあけて並行して縫着されていること、
を特徴とする裏地、を具備する産褥パッド支持機能付きボトム衣類。
【発明の詳細な説明】
【技術分野】
【０００１】
本発明は、産褥パッドをショーツの外側から支持して産後の血液や悪露、尿等の体液の漏れを防止する産褥パッド支持機能付きボトム衣類に関する。
【背景技術】
【０００２】
子供を出産した女性は、出産に起因する血液や悪露、尿等の体液の漏れに対応するため、出産直後から２か月程度、体液の吸収機能を備えた産褥パッド（生理用ナプキン、失禁用パッド、医療用パッド等を含む）を使用することが多い。当該産褥パッドは、パッドの装着を想定した構造を有する生理用ショーツ等のクロッチ部近傍に組み合わせ、該生理用ショーツを着用することで産褥パッドを股間に当接するものである。
【０００３】
しかし、一般的な生理用ショーツは、産褥パッドを組み合わせて装着することを目的として構成されており、上記体液はあくまでも産褥パッドで吸収することにのみ着目されていることから、産褥パッドを支持しつつ身体側に押圧する機能は備えていない。このため、身体の動作及び衣服のズレ等に影響を受けて産褥パッドの位置が不安定になり、股部と産褥パッドとの当接が解除されて隙間が発生し、該隙間から血液や悪露が漏れ出る問題がある。更に、臀部の左右膨出部に挟まれた臀裂は立体的な谷間を形成しているため、仰臥位や背臥位時には該谷間を通って上記体液が後ろ漏れする恐れもある。
【０００４】
これらのような問題を解決するため、産褥パッドを身体側に押圧して固定し、股部と産褥パッドとの密着性を向上することで上記体液の漏れを防止するためのショーツが種々提案さている。例えば、特許文献１（特開２００４−３２１５８９号公報）のショーツは、股部を押圧しつつクロッチ部前方から後身頃側へ引き上げる帯状の伸縮性を有したテープを備えており、該テープが後身頃部略上方で分岐して上縁部左右に連結した構造を備えている。当該ショーツが備えた伸縮性を有するテープにより、クロッチ部前方から臀部上方までの略中央を線で身体側に押圧（陰部から臀裂後方までの谷間）し、臀部上方から腰部までを面で身体側に押圧（臀裂後方から腰部までの平坦部）するものである。
【０００５】
また、特許文献２（特開２０１１−２５００７号公報）には、縦方向（股下部から前身頃及び後身頃のウエスト開口部方向）に伸長性を有し、更に当該縦方向の伸長性を抑制するするため、前身頃下半部の幅方向中央側から前身頃上半部の左右両側部に亘って一対の前身頃伸長抑制部を備えたパッドホルダーが開示されている。当該パッドホルダーは、伸長抑制部により、股下部から前身頃及び後身頃のウエスト開口部方向に備えた伸長性を適度に抑制して、装着した産褥パッド等を股部に固定し、装着感を向上するものである。
【先行技術文献】
【特許文献】
【０００６】
【特許文献１】特開２００４−３２１５８９号公報
【特許文献２】特開２０１１−２５００７号公報
【発明の概要】
【発明が解決しようとする課題】
【０００７】
しかしながら、特許文献１及び２に開示されているショーツ（パッドホルダー含む）を含む従来のショーツでは、装着した産褥パッドが多量の上記体液を吸収した場合、該産褥パッドの重量が大幅に増加するため、ショーツの支持力を超えて着用者の股部から下方に離間してしまう問題があった。また、上記体液の吸収が少量であっても、着用者が歩行や階段昇降等の動きをした場合や就寝時の寝返り等で複雑な体勢になった場合、ショーツのみの支持力では十分に産褥パッドを押圧できず、上記体液が外部へ漏出する恐れがあった。
【０００８】
ここで、上記の従来のショーツの構造に着目すると、ショーツはあくまでも下着であって、ボトムの下層で嵩張ることを避けるため、基本的な構成生地が薄手である。このため、産褥パッドを支持するテープを具備しても、該テープを固定する生地によって過度な重量物を支持することができず、ショーツのみで産褥パッドを支持することには無理があった。
【０００９】
そこで、本発明は、上記問題に鑑み、産褥パッドをショーツの外側から支持しつつ身体側に押圧固定し、歩行や階段昇降等の動作や、就寝時の寝返りにおいても、より確実に血液や悪露、尿等の体液の漏れを防止することができる産褥パッド支持機能付きボトム衣類を提供することを目的とする。
【課題を解決するための手段】
【００１０】
上記の課題を解決すべく、本発明は、
前身頃部及び後身頃部を有する産褥パッド支持用のボトム衣類であって、
前記前身頃部の上縁部からクロッチ部にかけて少なくとも２本の長尺状伸縮部材が所定の間隔をあけて並行して縫着され、かつ、
前記後身頃部の上縁部から前記クロッチ部にかけて少なくとも３本の長尺状伸縮部材が  所定の間隔をあけて並行して縫着されていること、
を特徴とする産褥パッド支持機能付きボトム衣類を提供する。
【００１１】
このような構成を有する本発明の産褥パッド支持機能付きボトム衣類では、前身頃部側の上縁部からクロッチ部を経て後身頃部側の上縁部に掛かる略ハンモック状のパッド支持部が形成される。このため、パッド支持部は着用時に前身頃部及び後身頃部双方の上縁部側へ引っ張られ、着用者の股間に沿って伸長する。それぞれの長尺状伸縮部材は、当該伸長に応じた収縮力を発揮し、パッド支持部が着用者の股部を押圧して産褥パッドを支持することができる。
更に、血液や悪露の吸収により産褥パッドが下方に離間する重量が加わった際、長尺状伸縮部材の伸長に応じた収縮力が高まり、産褥パッドが股部から離間することを防止できる。
なお、長尺状伸縮部材の本数は、本発明の作用効果が得られる限りは特に制限されることはなく、例えば、前身頃部側に２本以上、後身頃部側に３本以上縫着されることが望ましく、例えば後身頃部側に５本又は７本縫着して構成してもよい。また、上記構成で裏地を作成し、該裏地の表面に例えば意匠性を有する縫着ラインや生地で構成した表地を組み合わせたボトム衣類であってもよい（詳細は後述する。）。
【００１２】
また、上記の本発明の産褥パッド支持機能付きボトム衣類においては、前記後身頃部が、左側後身頃部と、右側後見頃部と、中央後見頃部と、から構成され、当該左側前身頃部と前記右側前身頃部との間に中央前身頃部を配置して縫着されていることが望ましい。
【００１３】
また、上記の本発明の産褥パッド支持機能付きボトム衣類においては、前記前身頃部が、左側前身頃部と、右側前身頃部と、中央前身頃部と、から構成され、前記左側後身頃部と前記右側後身頃部との間に中央後身頃部を配置して縫着されていることが望ましい。
【００１４】
また、上記の本発明の産褥パッド支持機能付きボトム衣類においては、前記長尺状伸縮部材が、前記左側前身頃部及び前記中央前身頃部の縫着部と、前記右側前身頃部及び前記中央前身頃部の縫着部と、前記左側後身頃部及び前記中央後身頃部の縫着部と、前記右側後身頃部及び前記中央後身頃部の縫着部と、前記中央後身頃部の略中央部と、に縫着されていることが望ましい。
【００１５】
このような構成を有する本発明の産褥パッド支持機能付きボトム衣類では、パッド支持部の伸縮に応じて前身頃部及び後身頃部が伸縮し易くなり、更に、長尺状伸縮部材間の生地の弛み具合を調整して産褥パッドの形状に合わせて違和感の少ない意匠にすることができる。
また、前身頃部及び後身頃部を構成する縫着部に長尺状伸縮部材を縫着してパッド支持部を構成するため、当該長尺状伸縮部材の縫着が目立たない意匠にすることができる。
【００１６】
また、上記の本発明の産褥パッド支持機能付きボトム衣類においては、前記左側前身頃部及び前記左側後身頃部それぞれの下縁部により左大腿被覆部が形成され、前記右側前身頃部及び前記右側後身頃部それぞれの下縁部により右大腿被覆部が形成されていることが望ましい。
【００１７】
このような構成を有する本発明の産褥パッド支持機能付きボトム衣類では、左側前身頃部及び左側後身頃部の縦方向の長さと、右側前身頃部及び右側後身頃部との縦方向の長さと、を調整することで、丈を決定することができる。
【００１８】
また、上記の本発明の産褥パッド支持機能付きボトム衣類においては、
前記左側後身頃部と前記中央後身頃部との縫着部と、前記右側後身頃部と前記中央後身頃部との縫着部と、の距離が、前記クロッチ部から前記上縁部にかけて拡幅し、かつ、前記左側前身頃部と前記中央前身頃部との縫着部と、前記右側前身頃部と前記中央前身頃部との縫着部と、の距離が、前記クロッチ部から前記上縁部にかけて拡幅する構造を有することが望ましい。
【００１９】
このような構成を有する本発明の産褥パッド支持機能付きボトム衣類では、産褥パッドの両サイドを強固に押圧することができ、更にクロッチ部から上縁部に向かってパッド支持部の支持面が広範囲になるため、血液や悪露の後漏れ及び横漏れが発生しやすい臀部近傍の押圧範囲を最適化することができる。
【図面の簡単な説明】
【００２０】
【図１】本実施形態の産褥パッド支持機能付きボトム衣類１の前面側を示す平面図（正面図）である。
【図２】本実施形態の産褥パッド支持機能付きボトム衣類１の背面側を示す平面図（背面図）である。
【図３】実施形態の産褥パッド支持機能付きボトム衣類１の構成を示す斜視図である。
【図４】本実施形態の産褥パッド支持機能付きボトム衣類１を展開し、パッド支持部２３のみを示した部分展開図である。
【図５】図４に示すパッド支持部２３の機能を示す模式図である。
【図６】本実施形態の産褥パッド支持機能付きボトム衣類１の着用手順を示す図であって、図６（ａ）は、産褥パッド５１及びショーツ５３を着用する状態を示す模式図であって、図６（ｂ）は、本実施形態の産褥パッド支持機能付きボトム衣類１を着用する状態を示す模式図である。
【図７】本実施形態における産褥パッド支持機能付きボトム衣類１の効果を示す図であって、図７（ａ）は、産褥パッド５１と股部との隙間を示す模式図であって、図７（ｂ）は、本実施形態の産褥パッド支持機能付きボトム衣類１による、産褥パッド５１と股部との密着性向上を示す模式図である。
【発明を実施するための形態】
【００２１】
以下、本発明に係る産褥パッドパッド支持機能付きボトム衣類の代表的な実施形態を、図１〜図７参照しながら詳細に説明する。但し、本発明は図示されるものに限られるものではなく、各図面は本発明を概念的に説明するためのものであるから、理解容易のために必要に応じて寸法、比又は数を誇張又は簡略化して表している場合もある。更に、以下の説明では、同一又は相当部分には同一符号を付し、重複する説明は省略することもある。
【００２２】
１．産褥パッドパッド支持機能付きボトム衣類の構造
＜産褥パッドパッド支持機能付きボトム衣類の概要＞
本実施形態の産褥パッドパッド支持機能付きボトム衣類は、産後の血液や悪露、尿漏れ等の体液を吸収可能な産褥パッドパッド（一般的には御産パッドとも称する）を、ショーツ（下着）の外側から支持し、当該産褥パッドと、股部を密着させ、血液や悪露の溢流を防止するボトム衣類である。
【００２３】
＜産褥パッド支持機能付きボトム衣類の構成＞
図１〜図３を用いて、本実施形態における産褥パッド支持機能付きボトム衣類１の構成について説明する。図１は、本実施形態の産褥パッド支持機能付きボトム衣類１の前面側を示す平面図である。図２は、本実施形態の産褥パッド支持機能付きボトム衣類１の背面側を示す平面図である。また、図３は、実施形態の産褥パッド支持機能付きボトム衣類１の構成を示す斜視図である。
【００２４】
図１及び図２に示すとおり、本実施形態の産褥パッド支持機能付きボトム衣類１は、概ね左側前身頃部３Ａと右側前身頃部３Ｂと中央前見頃部３Ｃとを縫着して成る前身頃部３と、左側後身頃部５Ａと右側後身頃部５Ｂと中央後身頃部５Ｃとを縫着して成る後身頃部５と、前身頃部３及び後身頃部５の上端で着用者のウエストに位置する上縁部７と、前身頃部３及び後身頃部５の下端で着用者の膝上方に位置する下縁部１３と、から構成されている。
【００２５】
＜前身頃部３の特徴＞
前身頃部３は、上述のとおり、左側前身頃部３Ａと右側前身頃部３Ｂと中央前身頃部３Ｃとの３つの生地を配置し、それぞれの隣接部を生地の裏面側から縫着して連結することにより形成されている。
【００２６】
本実施形態において、左側前身頃部３Ａは、前面から本産褥パッド支持機能付きボトム衣類１に対面視した状態で右側（着用者の左大腿部を被覆）に配置され、上縁部７から下縁部１３までの範囲を有する生地であり、右側前身頃部３Ｂは、前面から本産褥パッド支持機能付きボトム衣類１に対面視した状態で左側（着用者の右大腿部を被覆）に配置され、上縁部７から下縁部１３までの範囲を有する生地であり、また、中央前身頃部３Ｃは、本産褥パッド支持機能付きボトム衣類１に対面視した状態で中央に配置され、上縁部７からクロッチ部９までの範囲を有する生地である（特に図１参照）。
【００２７】
更に前身頃部３は、左側前身頃部３Ａと中央前身頃部３Ｃとの縫着部と、右前身頃部３Ｂと中央前身頃部３Ｃとの縫着部と、に沿って上縁部７からクロッチ部９にかけて衣料用ゴム等で構成された長尺状伸縮部材１１が縫着されている。
【００２８】
＜後身頃部５の特徴＞
後身頃部５は、左側後身頃部５Ａと右側後身頃部５Ｂと中央後身頃部５Ｃとの３つの生地を配置し、それぞれの隣接部を生地の裏面側から縫着して連結することにより形成されている。
【００２９】
本実施形態において、左側後身頃部５Ａは、背面から本産褥パッド支持機能付きボトム衣類１に対面視した状態で左側（着用者の左大腿部を被覆）に配置され、上縁部７から下縁部１３までの範囲を有する生地であり、右側後身頃部５Ｂは、背面から本産褥パッド支持機能付きボトム衣類１に対面視した状態で右側（着用者の右大腿部を被覆）に配置され、上縁部７から下縁部１３までの範囲を有する生地であり、また、中央後身頃部５Ｃは、本産褥パッド支持機能付きボトム衣類１に対面視した状態で中央に配置され、上縁部７からクロッチ部９までの範囲を有する生地である（特に図２参照）。
【００３０】
更に後身頃部５は、左側後身頃部５Ａと中央後身頃部５Ｃとの縫着部と、右後身頃部５Ｂと中央後身頃部５Ｃとの縫着部と、中央後身頃部５Ｃの略中央と、に、上縁部７からクロッチ部９にかけて長尺状伸縮部材１１が縫着されている。前身頃部３及び後身頃部５に縫着した長尺状伸縮部材１１によって、パッド支持部２３が形成されている。
【００３１】
なお、前身頃部３及び後身頃部５は、必ずしも３つの生地で構成している必要はなく、意匠によって構成を変更してもよい。例えば前身頃部３及び後身頃部５をそれぞれ１つの生地で構成し、所定の位置に長尺状伸縮部材１１を縫着したものであってもよい。また、前身頃部３及び後身頃部５は、ストレッチ等の伸縮性と汚れを容易に洗浄可能な生地で形成することが好ましい。
【００３２】
＜前身頃部３と後身頃部５との縫着＞
上述の構成を有する前身頃部３及び後身頃部５は、それぞれの左右の端部と、股下部１９及びクロッチ部９の端部と、が縫着して連結されており、上縁部７及び下縁部１３が開口２１となって着衣可能なボトム衣類の形状を有している（上縁部７には所定の太さ及び厚さを有する伸縮部材が挿入される）。
【００３３】
また、前身頃部３及び後身頃部５を縫着することで、左右それぞれ下縁部１３上方が左大腿被覆部１５及び右大腿被覆部１７になり、膝上丈のショートパンツ形状を形成している。なお、当該下縁部１３の位置は意匠や用途によって変更することが好ましく、必ずしもショートパンツ形状に限定されるものではない。
【００３４】
＜パッド支持部２３の構成＞
次に、図４を用いてパッド支持部２３の構成について詳細に説明する。図４は、本実施形態の産褥パッド支持機能付きボトム衣類１を展開し、パッド支持部２３のみを切り出して示した部分展開図である。
【００３５】
上述したとおり、本実施形態の産褥パッド支持機能付きボトム衣類１は、前身頃部３及び後身頃部５に長尺状伸縮部材１１を縫着して産褥パッド５１を支持するパッド支持部２３を構成している。この長尺状伸縮部材１１は、例えばゴム紐等の伸縮性を有する長尺状の部材であればよい。
【００３６】
本実施形態において、長尺状伸縮部材１１は、前身頃部３に２本、後身頃部５に３本、それぞれ略直線状に並行して縫着されており、クロッチ部から上縁部７にかけて、それぞれの間隔が徐々に幅が拡大するように配設されている（したがって、上記の「並行」して縫着されている、とは、ある程度の角度をもって「略並行」して縫着されている場合を含む意である。）。
【００３７】
より具体的には、前身頃部３に縫着された２本の長尺状伸縮性部材１１は、クロッチ部９で幅Ｗ２、上縁部７で幅Ｗ１の間隔を設けて縫着され、後見頃部５に縫着された３本の長尺状伸縮部材１１は、左右２本がクロッチ部９で幅Ｗ２、上縁部７で幅Ｗ３の間隔を設けて縫着され、更にその中間にもう１本が縫着されている。本実施形態の産褥パッド支持機能付きボトム衣類１では、幅Ｗ１は幅Ｗ２と比して少なくとも同寸法以上であること、また、幅Ｗ３は幅Ｗ２と比して少なくとも同寸法以上であることが好ましく、それぞれの具体的な寸法は意匠等により決定するものである。
【００３８】
＜パッド支持部２３の機能＞
次に、図５を用いてパッド支持部２３の機能について説明する。図５は、パッド支持部２３の機能を示す模式図である。
【００３９】
パッド支持部２３は、着用時に着用者の股部に位置する部位であって、いわばハンモック乃至はゆりかごのような構造を有している。該パッド支持部２３を構成するそれぞれの長尺状伸縮部材１１の一方の端部が上縁部７に縫着されている。ため、パッド支持部２３は着用時に前身頃部３及び後身頃部５双方の上縁部７側へ引っ張られ、股間に沿って伸長する。それぞれの長尺状伸縮部材１１は、当該伸長に応じた収縮力を発揮し、パッド支持部２３が着用者の身体側を押圧することができる。
【００４０】
また、パッド支持部２３の後身頃部５側は、３本の長尺状伸縮部材１１が縫着されていることから、前身頃部３と比してより身体側に押圧力が働き、臀部側に広く配置される産褥パッド５１を強固に支持することができる。
【００４１】
２．産褥パッド支持機能付きボトム衣類の使用方法
＜産褥パッド支持機能付きボトム衣類１の着用＞
次に、図６（ａ）及び（ｂ）を用いて本実施形態の産褥パッド支持機能付きボトム衣類１の着用について説明する。図６（ａ）及び（ｂ）は、本実施形態の産褥パッド支持機能付きボトム衣類１の着用手順を示す図であって、図６（ａ）は、産褥パッド５１及びショーツ５３を着用する状態を示す模式図であって、図６（ｂ）は、本実施形態の産褥パッド支持機能付きボトム衣類１を着用する状態を示す模式図である。
【００４２】
図６（ａ）に示すとおり、まず着用者は産褥パッド５１をショーツ５３の所定の位置に当接して固定し、当該ショーツ５３を着用する。産褥パッド５１が着用者の陰部及び臀部近傍を確実に覆い、当該産褥パッド５１の人体側の面全体が肌に当接していることを確認する。このとき、産褥パッド５１の位置がズレていると、血液や悪露、尿等の体液が溢流してしまうため、確実に着用することが重要である。
【００４３】
続いて、図６（ｂ）に示すように、本実施形態の産褥パッド支持機能付きボトム衣類１を着用する。まず、本産褥パッド支持機能付きボトム衣類１の前身頃部３と後身頃部５との方向を確認し、着用者は左大腿被覆部１５と右大腿被覆部１７とにそれぞれ対応した足を上縁部７側の開口２１から挿入し、下縁部１３側の開口２１から再び外部に露出する。
【００４４】
続いて、上縁部７を把持しつつ該上縁部７をウエストの位置まで引き上げ、パッド支持部２３を股部に当接させ、ショーツを介して産褥パッド５１を支持させる。このとき、クロッチ部９がズレなく股部に位置し、更にパッド支持部２３にねじれ等が発生しないよう上縁部７がウエストに位置する様確認する。
以上で本産褥パッド支持機能付きボトム衣類１の着用が完了する。
【００４５】
３．産褥パッド支持機能付きボトム衣類の効果
＜産褥パッド５１の支持＞
次に、図７（ａ）及び（ｂ）を用いて本実施形態における産褥パッド支持機能付きボトム衣類１の効果について説明する。図７（ａ）及び（ｂ）は、本実施形態における産褥パッド支持機能付きボトム衣類１の効果を示す図であって、図７（ａ）は、産褥パッド５１と股部との隙間を示す模式図であって、図７（ｂ）は、本実施形態の産褥パッド支持機能付きボトム衣類１による、産褥パッド５１と股部との密着性向上を示す模式図である。
【００４６】
産褥パッド５１が産後の血液や悪露、尿等の体液を吸収すると重量が増加し、図７（ａ）に示す様に、着用者の股部から当該産褥パッド５１が離間して隙間が発生してしまう。また、産褥パッド５１が多くの血液や悪露、尿等の体液を吸収していなくとも、就寝時等では仰臥位や背臥位を繰り返すため、産褥パッド５１の密着性は一時的に低下する場合がある。
【００４７】
本実施形態の産褥パッド支持機能付きボトム衣類１は、複数の長尺状伸縮部材１１により構成されたハンモック状のパッド支持部２３がショーツ５３を介して産褥パッド５１を支持し、確実に産褥パッド５１を股部に押圧する。
【００４８】
また、上述したとおり、パッド支持部２３を構成する複数の長尺状伸縮部材１１は、所定の間隔（幅Ｗ１、Ｗ２、Ｗ３）を設けて配置されていることから、産褥パッド５１の両サイドを強固に押圧することができ、更にクロッチ部９から上縁部７に向かってパッド支持部２３の支持面が広範囲になるため、血液や悪露、尿等の後漏れ及び横漏れが発生しやすい臀部近傍の押圧を最適化させている。
【００４９】
また、パッド支持部２３を構成する長尺状伸縮部材１１は、上述したとおり衣料用ゴム等で構成されているため、立位状態時、血液や悪露、尿等の体液の吸収により産褥パッド５１が下方に離間する重量が加わった際、長尺状伸縮部材１１の伸長に応じた元に戻る力（回復力）が増加し、産褥パッド５１が股部から離間することを防止する。
【００５０】
例えば、産褥パッド５１が少量の血液や悪露、尿等の体液を吸収した状態であっても、着用者が歩行や階段昇降等の動きをした場合、産褥パッド５１が股部から離間する恐れがあるが、本実施形態の産褥パッド支持機能付きボトム衣類１を着用することで、上述と同様にハンモック状のパッド支持部２３の伸縮によって産褥パッド５１を股部に当接させた状態を容易に維持することができる。
【００５１】
以上、本発明の実施形態について図面を参照しつつ説明してきたが、本発明は、これらの実施形態に限定されるものではなく、特許請求の範囲の記載の精神及び教示を逸脱しない範囲でその他の改良例や変形例が存在する。そして、かかる改良例や変形例は全て本発明の技術的範囲に含まれることは、当業者にとっては容易に理解されるところである。
【００５２】
本発明においては、上記構成で裏地を作成し、該裏地の表面に例えば意匠性を有する縫着ラインや生地で構成した表地を組み合わせたボトム衣類であってもよい。
即ち、本発明は、
前身頃部及び後身頃部を有する裏地であって、
前記前身頃部の上縁部からクロッチ部にかけて少なくとも２本の長尺状伸縮部材が所定の間隔をあけて並行して縫着され、かつ、
前記後身頃部の上縁部から前記クロッチ部にかけて少なくとも３本の長尺状伸縮部材が所定の間隔をあけて並行して縫着されていること、
を特徴とする裏地、を具備する産褥パッド支持機能付きボトム衣類、
にも関する。
【００５３】
この裏地を有する産褥パッド支持機能付きボトム衣類の裏地は、上記実施形態で詳述した「産褥パッド支持機能付きボトム衣類」と同様の構成を採ることができる。
【産業上の利用可能性】
【００５４】
本実施形態の産褥パッド支持機能付きボトム衣類１は、産褥パッドをショーツの外側から支持しつつ身体側に押圧固定し、上下動の激しい運動や、就寝時においても、より確実に血液や悪露の漏れを防止することができるものである。
【符号の説明】
【００５５】
１      産褥パッド支持機能付きボトム衣類
３      前身頃部
３Ａ    左側前身頃部
３Ｂ    右側前身頃部
３Ｃ    中央前見頃部
５      後身頃部
５Ａ    左側後身頃部
５Ｂ    右側後身頃部
５Ｃ    中央後身頃部
７      上縁部
９      クロッチ部
１１    長尺状伸縮部材
１３    下縁部
１５    左大腿被覆部
１７    右大腿被覆部
１９    股下部
２１    開口
２３    パッド支持部
５１    産褥パッド
５３    ショーツ
Ｗ１    幅
Ｗ２    幅
Ｗ３    幅
【図１】
2018079016.tif 000003
【図２】
2018079016.tif 000004
【図３】
2018079016.tif 000005
【図４】
2018079016.tif 000006
【図５】
2018079016.tif 000007
【図６】
2018079016.tif 000008
【図７】
2018079016.tif 000009
【手続補正書】
【提出日】平成29年3月6日(2017.3.6)
【手続補正１】
【補正対象書類名】特許請求の範囲
【補正対象項目名】全文
【補正方法】変更
【補正の内容】
【特許請求の範囲】
【請求項１】
前身頃部及び後身頃部を有する裏地であって、
前記前身頃部の上縁部からクロッチ部にかけて少なくとも２本の長尺状伸縮部材が所定の間隔をあけて並行して縫着され、かつ、
前記後身頃部の上縁部から前記クロッチ部にかけて少なくとも３本の長尺状伸縮部材が所定の間隔をあけて並行して縫着されていること、
を特徴とする裏地、を具備する産褥パッド支持機能付きボトム衣類。